【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】  式Ｉ：
【化１】
2002543173.tif 000001
の化合物またはその薬学的に受容可能な塩であって；ここで
Ｘは、水素、Ｃｌ、Ｂｒ、Ｉ、ＮＯ２、ＮＲ３Ｒ４または−Ｌ−Ｃｈであり；
Ｙは、水素、−ＣＨ２ＯＲ５、−ＣＨ２ＮＣＨ３Ｒ１、ＮＯ２、ＮＲ３Ｒ４または−Ｌ−Ｃｈであり；
Ｙ’は、水素、−ＣＨ２ＯＲ５、−ＣＨ２ＮＣＨ３Ｒ１、ＮＯ２、ＮＲ３Ｒ４または−Ｌ−Ｃｈであり；
ただし、ＹまたはＹ’のうち少なくとも１つは−ＣＨ２ＮＣＨ３Ｒ１であり；
Ｚは、Ｓ、Ｏ、ＮＲ６、ＣＲ７Ｒ８、Ｃ（Ｏ）または−Ｃ（＝ＣＲ７Ｒ８）−であり；
Ａは、水素、Ｃｌ、Ｉ、Ｂｒまたは−Ｌ−Ｃｈであり；
Ｒ１は、水素、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチル、ナフチルメチルまたは−Ｌ−Ｃｈであり；
Ｒ２は、水素またはメチルであり；
Ｒ３およびＲ４は、独立して水素、ヒドロキシ、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチル、ナフチルメチルまたは−Ｌ−Ｃｈであり；
Ｒ５は、水素、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチル、ナフチルメチルまたは−Ｌ−Ｃｈであり；
Ｒ６は、水素、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチル、もしくはナフチルメチルまたは−Ｌ−Ｃｈであり；
Ｒ７およびＲ８は、独立して水素、Ｃ１〜Ｃ５アルキルまたはクロロであり；
Ｌは、共有結合または−（ＣＨ２）ｎ−および−（ＣＨ２）ｎ−Ｃ（Ｏ）−からなる群から選択される連結基であり、ここでｎは、１〜５であり；そして
Ｃｈは、金属をキレート化し得る四座リガンドであり；
ただし、Ａ、Ｘ、Ｙ、Ｒ１、Ｒ３、Ｒ４、Ｒ５またはＲ６のうち１つのみが−Ｌ−Ｃｈであるか；
あるいは、ＸまたはＡのうち１つまたはＸおよびＡの両方が、ＢｒまたはＩである、
化合物またはその薬学的に受容可能な塩。
【請求項２】  請求項１に記載の化合物であって、ここで
Ｘは、ＢｒまたはＩであり；
Ｙは、−ＣＨ２ＯＲ５、ＮＯ２またはＮＲ３Ｒ４であり；
Ｚは、Ｓ、Ｏ、ＮＲ６、ＣＲ７Ｒ８、Ｃ（Ｏ）または−Ｃ（＝ＣＲ７Ｒ８）−であり；
Ａは、水素であり；
Ｒ１は、水素、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチルまたはナフチルメチルであり；
Ｒ２は、水素またはメチルであり；
Ｒ３およびＲ４は、独立して水素、ヒドロキシ、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチルまたはナフチルメチルであり；
Ｒ５は、水素、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチルまたはナフチルメチルであり；
Ｒ６は、水素、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチルまたはナフチルメチルであり；そして
Ｒ７およびＲ８は、独立して水素、Ｃ１〜Ｃ５アルキルまたはクロロである、化合物。
【請求項３】  請求項１に記載の化合物であって、ここで
Ｘは、水素、Ｃｌ、Ｂｒ、Ｉ、ＮＯ２、またはＮＲ３Ｒ４であり；
Ｙは、−ＣＨ２ＯＲ５、ＮＯ２またはＮＲ３Ｒ４であり；
Ｚは、Ｓ、Ｏ、ＮＲ６、ＣＲ７Ｒ８、Ｃ（Ｏ）または−Ｃ（＝ＣＲ７Ｒ８）−であり；
Ａは、ＢｒまたはＩであり；
Ｒ１は、水素、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチルまたはナフチルメチルであり；
Ｒ２は、水素またはメチルであり；
Ｒ３およびＲ４は、独立して水素、ヒドロキシ、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチルまたはナフチルメチルであり；
Ｒ５は、水素、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチルまたはナフチルメチルであり；
Ｒ６は、水素、Ｃ１〜Ｃ５アルキル、Ｃ３〜Ｃ８シクロアルキル、Ｃ１〜５アルキルカルボニル、（Ｃ３〜Ｃ８シクロアルキル）カルボニル、フェニル、ベンジル、ナフチルまたはナフチルメチルであり；そして
Ｒ７およびＲ８は、独立して水素、Ｃ１〜Ｃ５アルキルまたはクロロである、化合物。
【請求項４】  Ｘが、１２３Ｉ、１３１Ｉ、１２５Ｉ、７７Ｂｒおよび７６Ｂｒからなる群から選択される放射性同位体である、請求項２に記載の化合物。
【請求項５】  Ｘが、１２３Ｉである、請求項４に記載の化合物。
【請求項６】  Ａが、１２３Ｉ、１３１Ｉ、１２５Ｉ、７７Ｂｒおよび７６Ｂｒからなる群から選択される放射性同位体である、請求項３に記載の化合物。
【請求項７】  Ｘが、１２３Ｉである、請求項６に記載の化合物。
【請求項８】  一般式：
【化２】
2002543173.tif 000002
を有する、請求項１に記載の化合物、または該化合物の薬学的に受容可能な塩であって、ここでＸ、Ｙ、ＺならびにＲ１およびＲ２が、請求項１に規定されるとおりである、化合物または該化合物の薬学的に受容可能な塩。
【請求項９】  請求項８に記載の化合物であって、ここで；
Ｘは、ＩまたはＢｒであり；
Ｙは、−ＣＨ２ＯＨ；−ＣＨ２ＯＣＨ３；−ＮＨＲ４（ここでＲ４は、水素、ヒドロキシまたはＣ１〜５アルキル）；−ＮＯ２；または−ＣＨ２ＯＣ（Ｏ）ＣＨ３であり；
Ｚは、Ｓ、Ｏ、Ｎ（ＣＨ３）、Ｃ（Ｏ）、Ｃ（＝ＣＨ２）、またはＣＨ２、より好ましくはＳであり；そして
Ｒ１は、メチルである、化合物。
【請求項１０】  Ｘが、１２３Ｉ、１３１Ｉ、１２５Ｉ、７７Ｂｒまたは７６Ｂｒである、請求項９に記載の化合物。
【請求項１１】  請求項８に記載の化合物であって、ここで；
Ｘは、水素、ＩまたはＢｒであり；
Ｙは、−ＣＨ２ＯＨ、−ＣＨ２ＯＣＨ３、−ＮＨ２、または−ＯＨであり；
Ｚは、Ｓであり；そして
Ｒ１は、水素またはメチルである、化合物。
【請求項１２】  Ｘが、１２３Ｉ、１３１Ｉ、１２５Ｉ、７７Ｂｒまたは７６Ｂｒである、請求項８に記載の化合物。
【請求項１３】  請求項１に記載の化合物であって、ここでＣｈが、以下：
【化３】
2002543173.tif 000003
からなる群から選択され、ここでＲ９が、水素またはスルフヒドリル保護基である、化合物。
【請求項１４】  Ｒ９が、水素、メトキシメチル、メトキシエトキシメチル、ｐ−メトキシベンジルまたはベンジルである、請求項１３に記載の化合物。
【請求項１５】  Ｃｈが、以下：
【化４】
2002543173.tif 000004
からなる群から選択される、請求項１に記載の化合物のテクネチウムキレート。
【請求項１６】  放射薬学的錯体であって、請求項１３に記載の化合物、ならびにテクネチウム−９９ｍ、レニウム−１８６およびレニウム−１８８からなる群から選択される、該化合物に配位される放射性金属を含む、錯体。
【請求項１７】  放射画像化のための薬学的組成物であって、
哺乳動物に投与するために処方された、薬学的に受容可能なキャリアまたは希釈剤中の、請求項４に記載の化合物の放射薬学的錯体の有効量
を含み、該処方は、該組成物を該哺乳動物の組織に局在化させるために充分な投与後の時間の後に該哺乳動物を放射画像化するのが容易になるようになされている、薬学的組成物。
【請求項１８】  放射画像化のための薬学的組成物であって、
哺乳動物に投与するために処方された、薬学的に受容可能なキャリアまたは希釈剤中の、請求項６に記載の化合物の放射薬学的錯体の有効量を含み、該処方は、該組成物を該哺乳動物の組織に局在化させるために充分な投与後の時間の後に該哺乳動物を放射画像化するのが容易になるようになされている、薬学的組成物。
【請求項１９】  放射画像化のための薬学的組成物であって、
哺乳動物に投与するために処方された、薬学的に受容可能なキャリアまたは希釈剤中の、請求項１５に記載の放射薬学的錯体の有効量含み、該処方は、該組成物を該哺乳動物の組織に局在化させるために充分な投与後の時間の後に該哺乳動物を放射画像化するのが容易になるようになされている、薬学的組成物。
【請求項２０】  請求項８に記載の化合物であって、式ＶＩＩＩを有し、ここで：
Ｘは、Ｉ、１２３Ｉ、１３１Ｉ、および１２５Ｉからなる群から選択され；
Ｙは、−ＮＨ２であり；
Ｚは、−Ｓ−であり；そして
Ｒ１がメチルである、化合物。